(57)【要約】【課題】一動作で扉を内壁に確実に係留でき、簡単な操作でその係留を解くことができる扉の戸当りを提供する。【解決手段】少なくとも開口端縁部内周面の上部に係止片８を突設した係止筒４と、内筒部に係止レバー９を収納した係止レバー筒５と、係止爪１１が上下方向に揺動できるように後端部が係止レバー筒の基端部に支承されると共に、上向きに付勢され、更に、下側の側端縁に形成された紐掛け部１４を係止レバー筒５を貫通して下方に突出させた係止レバー９と、係止筒及び／又は係止レバー筒の外周部に母線方向に移動可能に嵌合し、緩衝用の圧縮コイルばね２１を有する緩衝筒１８、１９とを設け、係止筒４を扉内面の上辺における自由側端縁付近、及び開扉時扉上辺自由端縁付近の部分と近接する内壁の部分の何れか一方に垂設し、係止レバー筒を他方に垂設する。【選択図】  図５
2004218317.tif 000002
【特許請求の範囲】
【請求項１】
扉内面の上辺における自由側端縁付近、及び開扉時扉上辺自由端縁付近の部分と近接する内壁の部分の何れか一方に垂設され、先端が開口した筒体で、少なくとも開口端縁部内周面の上部に係止片を突設した係止筒と、開扉時この係止筒と対峙するように、扉内面及び内壁の他方に垂設され、先端が開口した筒体で、内筒部に係止レバーを収納した係止レバー筒と、上向きの係止爪を形成した先端が係止レバー筒の開口端から係止筒側に突出し、この係止爪が上下方向に揺動できるように後端部が係止レバー筒の基端部に支承されると共に、上向きに付勢され、更に、下側の側端縁に形成された紐掛け部を係止レバー筒を貫通して下方に突出させた係止レバーと、係止筒及び／又は係止レバー筒の外周部に母線方向に移動可能に嵌合し、係止筒或いは係止レバー筒から抜け外れる方向に付勢された緩衝筒とを有し、開扉時係止爪を係止片に係合させて扉を内壁に係留し、閉扉に先立って上端が紐掛け部に連結された紐を引くことにより、係止爪と係止片との係合を解いて扉を自由にするようにしたことを特徴とする係止機能付扉の戸当り。
【発明の詳細な説明】
【０００１】
【発明が属する技術分野】
この発明は、係止機能付扉の戸当り（以下単に戸当りという）に係り、特に、扉を押したり引いたりする動作で扉を部屋の内壁面に係止することができる戸当りに関する。
【０００２】
【従来の技術】
戸当り１とは、例えば図１に示すように、室内の内壁２の近傍における床面に植設され、例えばゴム製で球状の頭部を有するこけしのような棒状体で、扉３を開けたときその自由端が内壁２に衝突することを防止すると共に、緩衝機能を有するものである。
【０００３】
通常の戸当りは、扉が開いた状態を保つために係止機能を有しており、例えば図１に示すように、扉の自由端縁部下辺において水平軸の回りを回動可能に支承されたＵ字杆を戸当り１に引っ掛けて扉３を係止する。
【０００４】
【発明が解決しようとする課題】
上記した構造の従来の係止機能付戸当りは、床面に植設されているので、取付場所により躓きやすく危険な場合があるばかりでなく、床面を掃除するときに邪魔になる。
【０００５】
また、床面にカーペットなどを敷くとき、戸当り１との干渉を避けるためその部分を切り欠くか穴を開けなければならない。
【０００６】
更にまた、Ｕ字杆４などを戸当り１に引っ掛けるとき、或いは外すとき、しゃがみ込まなければならないのでお年寄りや体の不自由な人にとって作業が困難である。
【０００７】
加えて、扉３が戸当り１に係止されていることを知らないで慌ててドアを閉めようとすると、各部で衝突が起るので騒音が発生する、等種々の不都合がある。
【０００８】
そこで、この発明は、合理的に設計された新規な係止機能付戸当りを提案し、以て上記した種々の不都合を解消することを目的としている。
【０００９】
【課題を解決するための手段】
上記の目的を達成するため、この発明は、扉内面の上辺における自由側端縁付近、及び開扉時扉上辺自由端縁付近の部分と近接する内壁の部分の何れか一方に垂設され、先端が開口した筒体で、少なくとも開口端縁部内周面の上部に係止片を突設した係止筒と、開扉時この係止筒と対峙するように、扉内面及び内壁の他方に垂設され、先端が開口した筒体で、内筒部に係止レバーを収納した係止レバー筒と、上向きの係止爪を形成した先端が係止レバー筒の開口端から係止筒側に突出し、この係止爪が上下方向に揺動できるように後端部が係止レバー筒の基端部に支承されると共に、上向きに付勢され、更に、下側の側端縁に形成された紐掛け部を係止レバー筒を貫通して下方に突出させた係止レバーと、係止筒及び／又は係止レバー筒の外周部に母線方向に移動可能に嵌合し、係止筒或いは係止レバー筒から抜け外れる方向に付勢された緩衝筒とを有し、開扉時係止爪を係止片に係合させて扉を内壁に係留し、閉扉に先立って上端が紐掛け部に連結された紐を引くことにより、係止爪と係止片との係合を解いて扉を自由にするようにしたことを特徴とする。
【００１０】
【実施例】
以下、この発明の実施例を図２乃至図５を参照して説明する。
図２において符号５は一端（図２では右端）が開口した係止レバー筒を、符号６は係止筒を夫々示し、これらの内係止レバー筒５は、扉３の内面の上辺、例えば人の頭より高い部分、における自由側端縁付近に、その中心軸が扉面に垂直になるように垂設されている。
【００１１】
一方、係止筒６は、開扉時上記係止レバー筒５と対峙できる内壁２の部分に垂設されている。なお、この係止筒６及び上記係止レバー筒５共、例えばその基端に一体に結合されたブラケット７を内壁２或いは扉内面にねじ止めすることにより固定されるものとする。
【００１２】
ちなみに、係止筒にブラケット７を形成するには、例えば図２に示すように、両端が開口した筒体の一方の開口端縁に断面が円弧の一部をなす複数の連結片（付番せず）を形成し、同形、同数の穴をプレス加工により開口させたブラケットに上記連結片を差込んで裏側からかしめにより固定する。
【００１３】
また、係止レバー筒５も、上記のようにしてブラケットを結合させてもよいが、例えばスポット溶接等他の結合手段を用いてもよい。
【００１４】
上記係止筒６の開口端縁部内周面の上部には、係止片８が一体に突設されている。図示の実施例では、係止筒６の開口端縁内周面に内側に張出すように一体に形成されたリング状の突堤の一部として上記係止片が形成されている。
【００１５】
一方、上記係止レバー筒５内には係止レバー９が収納されている。この係止レバー９は、先端（図２で右端）に上向きの係止爪１１を形成し、支軸１２により、上下方向に揺動できるように後端を支承されたレバーである。
【００１６】
係止レバー９の長さは係止レバー筒５のそれより大きく設定されており、係止レバー９の先端部は係止レバー筒５の開口より突出している。
【００１７】
また、この係止レバー９は付勢ばね１２の弾力により、係止爪１１が上方に向かう方向に付勢されている。
【００１８】
図示の実施例における付勢ばね１２は、図３及び図４に示すように、全体の形状が略細長い矩形になるように成形されたばね線材の自由端を、係止レバー９の中央部に位置を違えて開口した２個のばね受け穴に夫々嵌装し、作用端１２ａが係止レバーから離間するように構成されている。
【００１９】
係止レバー９を上記したように係止爪１１が上方に向かう方向に付勢するには、図示の実施例に限定されることなく、例えば支軸１２に捩りコイルばね（図示せず）を巻装すればよい。
【００２０】
更にまた、図２に示すように、係止レバーの後端部付近には全体の形状が例えば略Ｌ字形の紐掛け部１４が一体に形成されており、この紐掛け部１４は、係止レバー筒５の基端部に形成されたスリット１５及び後述する緩衝筒に形成された切欠１６を挿通して、下方に突出している。
【００２１】
この紐掛け部１４の先端には図示しない紐を通して結びつけるための紐掛け孔１７が開口しており、一端をこの紐掛け孔１７に結びつけ、他端に図示しない摘みを設けた図示しない紐を引くことにより、外部から随時係止レバー９を下方に引くことができる。
【００２２】
他方、図２に示すように、係止筒６の外周部には第１緩衝筒１８が、係止レバー筒５の外周部には第２緩衝筒１９が、夫々母線方向に移動可能に嵌合しており、圧縮コイルばね２１の弾力により、係止筒６或いは係止レバー筒５から抜け外れる方向に付勢されている。
【００２３】
なお、第１緩衝筒１８に外力が作用しない常態においては、図２に示すように、第１緩衝筒１８に形成された付番しない段部と、外筒２２の開口端部内周面に形成されたリング状のストッパーとの係合により、第１緩衝筒１８の先端が係止筒６の先端と整合する位置に係止されている。
【００２４】
また、図示の実施例では、第２緩衝筒１９の先端部には厚肉筒状のゴム製のフード２３が嵌着されており、このフード２３の内周面には先が開いたテーパ部２４が形成されている。
【００２５】
なお、第２緩衝筒１９に外力が作用しない常態においては、図２に示すように、係止レバーの係止爪１１が第２緩衝筒１９の開口端縁と係合しており、第２緩衝筒１９を図２に示す位置に係止している。
【００２６】
或いは、第２緩衝筒１９に形成された前記切欠１６の後端部を紐掛け部１４に係止させてもよい。
【００２７】
このとき、上記切欠１６に紐掛け部１４を挿通させるには、切欠１６と異なる角度位置に一端が第２緩衝筒１９の後端開口縁に開くスリット（図示せず）を形成し、このスリットと切欠１６とを、紐掛け部１４の垂直部が円周方向に通過できる図示しない切欠によって接続すればよい。
【００２８】
上記のように構成されたこの発明の一実施例による戸当りは、例えばノブを回しつつ扉を開けると、図２に示すように、第２緩衝筒１９のフード２３が第１緩衝筒１８の前端と近接し、やがて当接する。
【００２９】
このとき、フード２３の材質としての緩衝作用、及び圧縮コイルばね２１、２１の弾性変形により扉３の運動エネルギーがが弾性エネルギーとして吸収されるので、この戸当りは緩衝機能を発揮する。
【００３０】
同時に、係止レバーの先端の係止爪１１が係止筒の係止片８に当接すると、先ず係止爪１１の傾斜縁と係止片との間に生じる楔作用により、係止爪１１が下向きに移動するように係止レバー９が回動する（図示せず）。
【００３１】
そして、係止爪１１が更に内壁２方向に移動して係止筒の係止片８を乗り越えると、図５に示すように、付勢ばね１３の弾力により係止爪１１の先端が係止片８の内側に落込む。
【００３２】
この状態で扉３から手を離すと、図５から明らかなように、第１及び第２緩衝筒１８、１９の圧縮コイルばね２１、２１の弾力が吊り合うように、これらの緩衝筒１８、１９の軸線方向の位置が定まる。
【００３３】
図示の実施例では、第１緩衝筒１８の圧縮コイルばね２１の方が強く、また、フード２３の前端面が係止筒６及び第１緩衝筒の嵌合線に跨がっており、更にまた、切欠１６の前方の端縁が紐掛け部１４に当接したとき、第１緩衝筒１８が右方一杯移動するように各部の寸法が設定されているので、図５に示す位置で吊り合う。
【００３４】
上記のようにして係止片８と係止爪１１との係合は形状係合をなすから、扉３は安定に内壁２に係留される。
【００３５】
扉を閉じるときには、一端が紐掛け部１４の先端に結び付けられた前記図示しない紐を下方に引く。
【００３６】
すると、図５から明らかなように、係止爪１１が付勢ばね１３の弾力に抗して下降するから、係止片８と係止爪１１との係合が解かれ、第１及び第２緩衝筒１８、１９が夫々に弾装された圧縮コイルばね２１、２１が自由になる。
【００３７】
そのため、第１及び第２緩衝筒１８、１９は相互に蹴り合うようにして離れるから、扉３は内壁２から自由になり、扉３を閉めることができる。
【００３８】
なお、図５から明らかなように、係止片８と係止爪１１との係合部には圧縮コイルばね２１、２１の弾力が作用しないから、つまり、係止片８と係止爪１１との間の摩擦力は大きくないから、上記紐を引くときの力は僅かで済む。
【００３９】
【発明の効果】
以上の説明から明らかなように、この発明は、緩衝筒に形成された係止片と、係止レバー筒に支承された係止レバーの先端の係止爪とが形状係合をなすので、扉を内壁に安定に係留することができる。
【００４０】
また、係止爪と係止片とが係合する前に、緩衝筒が相手方の緩衝筒と圧縮コイルばねを介して当接するので、扉を内壁に近づけるときの扉の勢いを減じて適切に緩衝することができる。
【００４１】
更にまた、紐掛け部に結び付けられた紐を引くことにより係止爪を下方に移動させて係止片との係合を解くことができ、係止爪と係止片との係合が安定であるにも拘らず、扉の内壁への係留の解除が容易である、等種々の効果を奏する。
【図面の簡単な説明】
【図１】従来の戸当りを説明するための扉口の線図的平面図。
【図２】この発明の一実施例による戸当りの縦断面図で、扉の内壁への係留前を示す。
【図３】係止レバーの側面図。
【図４】係止レバーの下面図。
【図５】この発明の一実施例による戸当りの縦断面図で、扉を内壁に係留した状態を示す。
【符号の説明】
１  戸当り
２  内壁
３  扉
５  係止レバー筒
６  係止筒
８  係止片
９  係止レバー
１１  係止爪
１２  支軸
１３  付勢ばね
１４  紐掛け部
１７  紐掛け孔
１８  第１緩衝筒
１９  第２緩衝筒
２１  圧縮コイルばね
２２  外筒
２３  フード
【図１】
2004218317.tif 000003
【図２】
2004218317.tif 000004
【図３】
2004218317.tif 000005
【図４】
2004218317.tif 000006
【図５】
2004218317.tif 000007